(57)【要約】【課題】  無線式のナースコール子機がベッドに居る患者の手元から離れたことおよびベッドから離れた患者が無線式のナースコール子機を置き忘れたことを明確に区別して報知できるようにするとともに、患者と無線式のナースコール子機とが病室から離れた場合に誤報が行われないようにする。【解決手段】  ベッド付近に設置されたウォールユニット３の非接触ＩＣリーダライタ３ａが患者用バンド１の患者用ＩＣタグ１ａからの患者情報のみを読み取るとナースコール子機２がベッド上から離れていることを第一のパターンで報知し、非接触ＩＣリーダライタ３ａがナースコール子機２の子機用ＩＣタグ２ａからの子機識別情報のみを読み取るとベッドから離れた患者がナースコール子機２を置き忘れたことを第二のパターンで報知して、非接触ＩＣリーダライタ３ａが患者情報と子機識別情報とを両方とも読み取らなければ報知を行わないようにしている。【選択図】        図１
2010172555.tif 000002
【特許請求の範囲】
【請求項１】
患者によりそれぞれ携行され、前記患者を識別するための患者情報を所定のタイミングで発信する無線機と、
前記患者によりそれぞれ携行され、前記患者により呼び出し操作が行われると医療従事者を呼び出すための呼出信号を無線を介して送信するとともに、自装置を識別するための子機識別情報を所定のタイミングで発信する無線式のナースコール子機と、
前記患者が居る病室のベッド付近に設置され、前記患者が前記ベッドに居る状態を満たす距離に前記無線機が近づいた場合に、前記無線機から発信された前記患者情報を読み取るとともに、前記無線式のナースコール子機が前記ベッド上の所定の位置に置かれている状態を満たす距離に近づいた場合に、前記無線式のナースコール子機から発信された前記子機識別情報を読み取る読取装置と、
呼び出しを報知する報知装置と、
前記読取装置が前記患者情報のみを読み取ったのかを判定するとともに、前記読取装置が前記子機識別情報のみを読み取ったのかを判定する判定装置と、
前記読取装置が前記患者情報のみを読み取ったと前記判定装置にて判断した場合に前記報知装置を第一のパターンで動作させ、前記読取装置が前記子機識別情報のみを読み取ったと前記判定装置にて判断した場合に前記報知装置を第二のパターンで動作させる制御部を備えた制御装置と、
を備えたことを特徴とするナースコールシステム。
【発明の詳細な説明】
【技術分野】
【０００１】
本発明は、病院などで患者からの要求に応じて医師や看護師などの医療従事者を呼び出すナースコールシステムに関する。
【背景技術】
【０００２】
従来、病院などでは、ナースコールシステムが用いられている。ナースコールシステムは、病室内の患者の近辺（例えば、ベッド上など）に設置されたナースコール子機および医療従事者の居る部屋（例えば、スタッフルームなど）に設置されたナースコール親機を有線や無線などにより接続して構成されている。また、ナースコール子機およびナースコール親機は、廊下灯や制御機などを介して接続されている。さらに、医療従事者が携行している複数の携帯通信端末（例えば、ＰＨＳ（Ｐｅｒｓｏｎａｌ  Ｈａｎｄｙｐｈｏｎｅ  Ｓｙｓｔｅｍ）やコードレス電話など）は、無線を介してナースコール親機に接続されている。そして、患者によりナースコール子機が操作されると、ナースコール親機や携帯通信端末は、自装置に設けられた報知部を動作させて、スピーカから呼び出し音を出力させたり、表示ディスプレイなどに呼び出し表示を行わせたりして、呼び出しを報知している。医療従事者は、呼び出し音を聞いたり、呼び出し表示を見たりして、患者からの呼び出しを把握する。呼び出しを把握した医療従事者は、ナースコール親機に設けられた受話器や携帯通信端末により呼び出しに応答することができる。
【０００３】
ところで、患者は、ナースコール子機をベッド上から落としてしまうことがある。患者によっては、自由に体を動かすことができず、ナースコール子機を自力で拾い上げることができないケースがあった。このような患者は、落としてしまったナースコール子機を誰かに拾ってもらう必要があるため、誰かを呼ぶ必要があった。
【０００４】
ところで、管理対象物品が監視距離から離れたことを知らせるための紛失予防システムが知られている（例えば、特許文献１など）。特許文献１に記載の紛失予防システムでは、財布などの所持品に非接触ＩＣ（Ｉｎｔｅｇｒａｔｅｄ  Ｃｉｒｃｕｉｔ）タグを取り付け、非接触ＩＣタグが一定距離内にある場合に、非接触ＩＣタグを読み取る非接触ＩＣリーダライタを携帯情報端末機器に内蔵し、その携帯情報端末機器が所持品から一定距離以上離れた場合に、携帯情報端末機器が警告音により警報を発生するようにしている。これにより、警告音を聞いた所持品の所有者は、所持品を置き忘れていることを把握することができる。
【０００５】
この特許文献１に記載の紛失予防システムをナースコールシステムに適用し、ベッドサイドの壁面に設置されているウォールユニットに非接触ＩＣリーダライタを内蔵してナースコール子機に非接触ＩＣタグを内蔵すると、ナースコール子機がウォールユニットから一定距離以上離れた場合に、ナースコール子機がベッド上から落ちてしまったことを医療従事者に対して報知することができる。
【０００６】
ところで、ナースコール子機は、必ずしもベッド近傍に設置されているとは限らない。例えば、ナースコール親機との間で無線を介して接続されている無線式のナースコール子機は、ベッド近傍にて使用されるだけでなく、患者により病室から持ち出されて病室以外の場所で使用されることがある。ここで、ベッド上から落ちたナースコール子機を自力で拾い上げることができない患者が無線式のナースコール子機を病室以外の場所で使用するケースとしては、無線式のナースコール子機を持った患者が付添人などにより病室から連れ出されるような場合が考えられる。
【０００７】
また、特許文献１に記載の紛失予防システムを適用したナースコールシステムを無線式にした場合に、ウォールユニットと無線式のナースコール子機とが一定距離以上離れたときに、ナースコール親機は、呼び出しを報知することになる。しかしながら、無線式のナースコール子機を使用した場合、ナースコール子機がベッド上から落ちたときだけでなく、患者とともにナースコール子機が病室から離れたときにも、ナースコール親機が呼び出しを報知してしまう。これにより、特許文献１に記載の紛失予防システムを適用したナースコールシステムを無線式にした場合、患者とともにナースコール子機が病室から離れたときでも、ナースコール子機がベッドから落ちたという誤報が行われてしまうという問題があった。
【０００８】
ところで、特許文献１に記載の紛失予防システムを適用したナースコールシステムを無線式にし、ベッドサイドの壁面に設置されているウォールユニットに非接触ＩＣリーダライタを内蔵して非接触ＩＣタグを患者に携行させると、患者がウォールユニットから一定距離以上離れた場合に、患者がベッドから離れたことを医療従事者に対して報知することができる。しかしながら、このケースでは、無線式のナースコール子機に非接触ＩＣタグが内蔵されていないので、ウォールユニットと無線式のナースコール子機とが一定距離以上離れた場合でも呼び出しが報知されないという問題があった。
【０００９】
また、特許文献１に記載の紛失予防システムを適用したナースコールシステムを無線式にし、無線式のナースコール子機に非接触ＩＣリーダライタを内蔵して非接触ＩＣタグを患者に携行させると、患者が無線式のナースコール子機から一定距離以上離れている場合に、無線式のナースコール子機が患者の手元から離れていることを医療従事者に対して報知することができる。しかしながら、このケースでは、無線式のナースコール子機がベッドに居る患者の手元から離れた場合でも、ベッドから離れた患者が無線式のナースコール子機を置き忘れた場合でも同様の報知が行われてしまうため、呼び出しが報知されても、医療従事者は、報知の理由を把握することができないという問題があった。
【先行技術文献】
【特許文献】
【００１０】
【特許文献１】特開２００８−７０９６４号公報
【発明の概要】
【発明が解決しようとする課題】
【００１１】
本発明は、このような課題を解決するために成されたものであり、無線式のナースコール子機がベッドに居る患者の手元から離れたこと、および、ベッドから離れた患者が無線式のナースコール子機を置き忘れたことを明確に区別して報知することができるようにするとともに、患者とともに無線式のナースコール子機が病室から離れた場合に、誤報が行われないようにすることを目的とする。
【課題を解決するための手段】
【００１２】
上述した課題を解決するために、本発明のナースコールシステムでは、無線式のナースコール子機を携行する患者に無線機を携行させ、ナースコール子機からの子機識別情報と無線機からの患者情報とを読み取る読取装置を患者のベッド付近に設置する。そして、読取装置が患者情報のみを読み取った場合に、第一のパターンで呼び出しを報知するようにし、読取装置が子機識別情報のみを読み取った場合に、第二のパターンで呼び出しを報知するようにしている。
【発明の効果】
【００１３】
上記のように構成した本発明によれば、読取装置が患者情報のみを読み取った場合には、ベッドに居る患者の手元から無線式のナースコール子機が離れていることが第一のパターンで報知される。また、読取装置が子機識別情報のみを読み取った場合には、患者が無線式のナースコール子機を携行せずにベッドを離れたことが第二のパターンで報知される。これにより、無線式のナースコール子機がベッドに居る患者の手元から離れたこと、および、ベッドから離れた患者が無線式のナースコール子機をベッド上に置き忘れたことを明確に区別して報知することができる。従って、医療従事者などは、報知のパターンを判別するだけで、容易に報知を区別することができる。また、読取装置が患者情報および子機識別情報の何れか一方のみを読み取った場合に報知が行われるので、読取装置が患者情報と子機識別情報とを両方とも読み取っていない場合には、患者が無線式のナースコール子機を携行してベッドを離れたと判断して呼び出しが報知されない。これにより、患者とともに無線式のナースコール子機が病室から離れた場合に、誤報が行われなくなる。
【図面の簡単な説明】
【００１４】
【図１】本実施形態によるナースコールシステムの構成例を示すブロック図である。
【図２】本実施形態によるナースコールシステムの患者用バンド、ナースコール子機およびウォールユニットの配置例を示す図である。
【図３】本実施形態によるナースコールシステムの動作を示すフローチャートである。
【発明を実施するための形態】
【００１５】
以下、本発明の一実施形態を図面に基づいて説明する。本実施形態によるナースコールシステムの構成例を示すブロック図を図１に示す。同図に示すように、本実施形態によるナースコールシステムは、患者用バンド１、ナースコール子機２（特許請求の範囲の無線式のナースコール子機に該当する）、ウォールユニット３、受信機４、ナースコール親機１０（特許請求の範囲の制御装置に該当する）を備えて構成されている。
【００１６】
また、ナースコール親機１０は、制御部１１、インターフェース（以下、Ｉ／Ｆとする）部１２、判定部（特許請求の範囲の判定装置に該当する）１３、報知部（特許請求の範囲の報知装置に該当する）１４を備えて構成されている。
【００１７】
図１において、患者用バンド１は、病院内に居る各患者の移動を検出させるためのものであり、各患者の腕などに装着されている。ここで、患者用バンド１は、患者用ＩＣタグ１ａ（特許請求の範囲の無線機に該当する）を取り付けて構成されている。また、患者用ＩＣタグ１ａは、患者用ＩＣタグ１ａとウォールユニット３に設けた非接触ＩＣリーダライタ３ａ（特許請求の範囲の読取装置に該当する）とが無線通信可能となる距離に近づいた際に無線を介して非接触ＩＣリーダライタ３ａに接続される。ここで、患者用ＩＣタグ１ａと非接触ＩＣリーダライタ３ａとが無線通信可能となる距離は、少なくとも患者がベッドに居る場合に患者用ＩＣタグ１ａと非接触ＩＣリーダライタ３ａとが無線通信を確実に行うことができる距離であることが好ましい。また、患者用ＩＣタグ１ａには、患者用バンド１を携行している患者を識別するための患者情報（例えば、患者番号など）が予め記憶されている。なお、本実施形態では、患者用ＩＣタグ１ａは、患者用バンド１に取り付けられているが、これに限定されない。例えば、患者用ＩＣタグ１ａは、患者が着る衣服などに取り付けられるようにしても良い。要は、患者用ＩＣタグ１ａは、患者により常に携行されている状態であれば良い。
【００１８】
ナースコール子機２は、患者用バンド１を装着している各患者により携行されている無線式のナースコール子機であり、患者が呼出ボタンなどの呼出操作部（図示せず）を操作することにより、医療従事者に対して呼び出しを行うための呼出信号を無線で送信する。ここで、呼出信号は、ナースコール子機２を識別するための子機識別情報（例えば、子機番号など）を含む。
【００１９】
また、ナースコール子機２は、子機用ＩＣタグ２ａを備えて構成されている。子機用ＩＣタグ２ａは、子機用ＩＣタグ２ａとウォールユニット３に設けた非接触ＩＣリーダライタ３ａとが無線通信可能となる距離に近づいた際に無線を介して非接触ＩＣリーダライタ３ａに接続される。ここで、子機用ＩＣタグ２ａと非接触ＩＣリーダライタ３ａとが無線通信可能となる距離は、少なくともナースコール子機２がベッドの上に置かれた場合に子機用ＩＣタグ２ａと非接触ＩＣリーダライタ３ａとが無線通信を確実に行うことができる距離であることが好ましい。また、子機用ＩＣタグ２ａには、子機識別情報が予め記憶されている。
【００２０】
ウォールユニット３は、患者の移動およびナースコール子機２の移動を検出するためのものであり、各ベッドの近傍の壁面に設置されている。ここで、ウォールユニット３は、伝送線を介してナースコール親機１０に接続されている。また、ウォールユニット３は、非接触ＩＣリーダライタ３ａを備えて構成されている。非接触ＩＣリーダライタ３ａは、患者用ＩＣタグ１ａとの間で所定のタイミングで定期的に通信を試みる。具体的には、非接触ＩＣリーダライタ３ａは、患者用ＩＣタグ１ａが読み取り可能な距離に近づいた場合に、患者用ＩＣタグ１ａを接続して患者用ＩＣタグ１ａに記憶されている患者情報を読み取る。そして、ウォールユニット３は、非接触ＩＣリーダライタ３ａが読み取った患者情報をナースコール親機１０へ出力する。従って、患者がベッドに居る状態では、非接触ＩＣリーダライタ３ａは、患者が携行している患者用ＩＣタグ１ａと通信して患者情報を読み取り続ける。
【００２１】
また、非接触ＩＣリーダライタ３ａは、子機用ＩＣタグ２ａとの間で所定のタイミングで定期的に通信を試みる。具体的には、非接触ＩＣリーダライタ３ａは、子機用ＩＣタグ２ａが読み取り可能な距離に近づいた場合に、子機用ＩＣタグ２ａを接続して子機用ＩＣタグ２ａに記憶されている子機識別情報を読み取る。そして、ウォールユニット３は、非接触ＩＣリーダライタ３ａが読み取った子機識別情報をナースコール親機１０へ出力する。従って、ナースコール子機２がベッドの上に置かれている状態では、非接触ＩＣリーダライタ３ａは、子機用ＩＣタグ２ａと通信して子機識別情報を読み取り続ける。ここで、ウォールユニット３には、各ウォールユニット３に対応するベッドを識別するための病床識別情報（例えば、病床番号など）が割り振られており、図示しない記憶部に記憶されている。また、ウォールユニット３は、患者情報や子機識別情報をナースコール親機１０へ出力する際に、各情報とともに病床識別情報を出力する。
【００２２】
受信機４は、ナースコール子機２から送信された呼出信号を受信するためのものである。ナースコール子機２から呼出信号が送信された場合に、受信機４は、その呼出信号を受信してナースコール親機１０へ出力する。ここで、受信機４は、病院内のどの場所からでもナースコール子機２からの呼出信号を受信することができるように必要に応じて複数設置されている。また、受信機４には、自装置を識別するための受信機識別情報（例えば、受信機番号など）が割り振られている。また、受信機４は、受信した呼出信号にとともに自装置の受信機識別情報をナースコール親機１０へ出力する。
【００２３】
ナースコール親機１０は、医療従事者の居る部屋（例えば、スタッフルームなど）に設置されており、患者からの呼び出しに応答するためのものである。ここで、ナースコール親機１０は、ナースコール子機２から送信された呼出信号を受信機４を介して入力すると、報知部１４により呼び出しを報知する。報知部１４により呼び出しが報知されている状態で、医療従事者がナースコール親機１０に備えた図示しないハンドセットをオフフックするなどして患者からの呼び出しに応答すると、ナースコール親機１０は、報知部１４の動作を停止する。そして、ナースコール親機１０は、ナースコール子機２との間で無線を介して通話路を形成する。また、ナースコール親機１０には、複数のナースコール子機２が受信機４を介して接続されている。また、ナースコール親機１０とウォールユニット３との間には、図示しない廊下灯が設置されている。ここで、廊下灯は、自装置に設けた表示灯を点灯または点滅させて、後述の報知を行う。また、ナースコール親機１０には、図示しない制御機が接続されている。制御機は、ナースコール子機２とナースコール親機１０との間の通信やウォールユニット３とナースコール親機１０との間の通信に関する制御を行う。
【００２４】
制御部１１は、ナースコール親機１０の各構成要素を後述するように制御する。Ｉ／Ｆ部１２は、ナースコール親機１０がウォールユニット３との間で通信するために図示しないウォールユニット用Ｉ／Ｆ部に接続されている。また、Ｉ／Ｆ部１２は、ナースコール親機１０が受信機４との間で通信するために、図示しない受信機用Ｉ／Ｆ部に接続されている。また、Ｉ／Ｆ部１２は、ウォールユニット３から出力された患者情報、子機識別情報および病床識別情報を入力する。また、Ｉ／Ｆ部１２は、受信機４から出力された呼出信号および受信機識別情報を入力する。
【００２５】
判定部１３は、Ｉ／Ｆ部１２がウォールユニット３から出力された患者情報および病床識別情報のみを入力したか否か（換言すると、非接触ＩＣリーダライタ３ａが患者情報のみを読み取ったか否か）を判定するとともに、Ｉ／Ｆ部１２がウォールユニット３から出力された子機識別情報および病床識別情報のみを入力したか否か（換言すると、非接触ＩＣリーダライタ３ａが子機識別情報のみを読み取ったか否か）を判定する。Ｉ／Ｆ部１２がウォールユニット３から出力された患者情報および病床識別情報のみを入力した（換言すると、非接触ＩＣリーダライタ３ａが患者情報のみを読み取った）と判定部１３にて判断した場合に、制御部１１は、ベッド上からナースコール子機２が離れていると判断して報知部１４を動作させる。
【００２６】
また、Ｉ／Ｆ部１２がウォールユニット３から出力された子機識別情報および病床識別情報のみを入力した（換言すると、非接触ＩＣリーダライタ３ａが子機識別情報のみを読み取った）と判定部１３にて判断した場合に、制御部１１は、ベッドから離れた患者がナースコール子機２を置き忘れていると判断して報知部１４を動作させる。
【００２７】
また、Ｉ／Ｆ部１２がウォールユニット３からの患者情報および病床識別情報と子機識別情報および病床識別情報とを両方とも入力していない（換言すると、非接触ＩＣリーダライタ３ａが患者情報と子機識別情報とを両方とも読み取っていない）と判定部１３にて判断した場合に、制御部１１は、患者がナースコール子機２を携行してベッドから離れたと判断して報知部１４を動作させない。
【００２８】
また、Ｉ／Ｆ部１２がウォールユニット３からの患者情報および病床識別情報と子機識別情報および病床識別情報とを両方とも入力した（換言すると、非接触ＩＣリーダライタ３ａが患者情報と子機識別情報とを両方とも読み取った）と判定部１３にて判断した場合に、制御部１１は、患者がベッドに居り、ナースコール子機２がベッド上の所定の位置に置かれていると判断して報知部１４を動作させない。
【００２９】
図２は、本実施形態の患者用バンド１、ナースコール子機２およびウォールユニット３の配置例を示す図である。同図（ａ）は、患者用バンド１を装着した患者がベッドに居り、ナースコール子機２がベッド上の所定の位置（例えば、患者がナースコール子機２を操作しやすい位置など）に置かれている状態を示すものである。また、壁面には、ウォールユニット３が設置されている。ここで、患者用バンド１に取り付けられている患者用ＩＣタグ１ａとウォールユニット３に設けられている非接触ＩＣリーダライタ３ａとが無線通信可能となる距離の範囲Ａは、少なくとも患者がベッド近傍に居る場合に患者用ＩＣタグ１ａと非接触ＩＣリーダライタ３ａとが無線通信を確実に行うことができる範囲である。また、患者用ＩＣタグ１ａと非接触ＩＣリーダライタ３ａとが無線通信を確実に行うことができる距離の最大値は距離ｄ１である。また、ナースコール子機２に内臓されている子機用ＩＣタグ２ａとウォールユニット３に設けられている非接触ＩＣリーダライタ３ａとが無線通信可能となる距離の範囲Ｂは、少なくともナースコール子機２がベッドの上に置かれている状態で子機用ＩＣタグ２ａと非接触ＩＣリーダライタ３ａとが無線通信を確実に行うことができる範囲である。また、子機用ＩＣタグ２ａと非接触ＩＣリーダライタ３ａとが無線通信を確実に行うことができる距離の最大値は距離ｄ２である。
【００３０】
図２（ａ）に示すように、患者に装着された患者用バンド１は範囲Ａの中に存在している。そのため、患者用バンド１とウォールユニット３との距離ｄ１’が距離ｄ１以下であるので、非接触ＩＣリーダライタ３ａは、患者用ＩＣタグ１ａと無線通信を確実に行うことができる。また、同図（ａ）に示すように、ナースコール子機２は範囲Ｂの中に存在している。そのため、ナースコール子機２とウォールユニット３との距離ｄ２’が距離ｄ２以下であるので、非接触ＩＣリーダライタ３ａは、子機用ＩＣタグ２ａと無線通信を確実に行うことができる。
【００３１】
図２（ｂ）は、患者用バンド１を装着した患者がベッドに居るものの、ナースコール子機２がベッド上の所定の位置に置かれていない状態（例えば、ナースコール子機２がベッドの下に落ちている状態など）を示すものである。同図（ｂ）に示すように、患者に装着された患者用バンド１は範囲Ａの中に存在している。そのため、患者用バンド１とウォールユニット３との距離ｄ１’が距離ｄ１以下であるので、非接触ＩＣリーダライタ３ａは、患者用ＩＣタグ１ａと無線通信を確実に行うことができる。また、同図（ｂ）に示すように、ナースコール子機２は範囲Ｂの中に存在していない。そのため、ナースコール子機２とウォールユニット３との距離ｄ２’が距離ｄ２よりも長いので、非接触ＩＣリーダライタ３ａは、子機用ＩＣタグ２ａと無線通信を行うことができない。
【００３２】
図２（ｃ）は、ナースコール子機２がベッド付近に置かれているものの、患者用バンド１を装着した患者がベッドを離れている状態を示すものである。同図（ｃ）に示すように、患者に装着された患者用バンド１は範囲Ａの中に存在していない。そのため、非接触ＩＣリーダライタ３ａは、患者用ＩＣタグ１ａと無線通信を行うことができない。また、同図（ｃ）に示すように、ナースコール子機２は範囲Ｂの中に存在している。そのため、ナースコール子機２とウォールユニット３との距離ｄ２’が距離ｄ２以下であるので、非接触ＩＣリーダライタ３ａは、子機用ＩＣタグ２ａと無線通信を確実に行うことができる。
【００３３】
報知部１４は、ナースコール子機２がベッド上から離れていることを報知したり、患者がナースコール子機２を携行せずにベッドを離れたことを報知したり、患者が呼び出しを行ったことを報知したりするためのものである。また、報知部１４は、スピーカや表示ディスプレイ、表示灯などにより構成されており、スピーカから呼び出し音や音声を出力させたり、表示ディスプレイに呼び出し表示を行わせたり、表示灯を点灯または点滅させたりして報知を行う。
【００３４】
Ｉ／Ｆ部１２がウォールユニット３から出力された患者情報および病床識別情報のみを入力したと判定部１３にて判断した場合に、制御部１１は、入力した病床識別情報により報知の対象となっている病床を特定することができるように、報知部１４を動作させる。また、Ｉ／Ｆ部１２がウォールユニット３から出力された子機識別情報および病床識別情報のみを入力したと判定部１３にて判断した場合に、制御部１１は、入力した病床識別情報により報知の対象となっている病床を特定することができるように、報知部１４を動作させる。
【００３５】
また、Ｉ／Ｆ部１２が受信機４から出力された呼出信号および受信機識別情報を入力したと制御部１１にて判断した場合に、制御部１１は、入力した呼出信号に含まれる子機識別情報を取得し、図示しない患者情報記憶部を参照して、入力した受信機識別情報と取得した子機識別情報とから、呼び出しを行った患者と呼び出しが行われた場所とを特定する。そして、制御部１１は、呼び出しを行った患者と呼び出しが行われた場所とが明確になるように、報知部１４を動作させる。ここで、患者情報記憶部には、子機識別情報および子機識別情報により特定されるナースコール子機２を使用している患者の氏名を示す患者氏名情報と、受信機識別情報および受信機識別情報により特定される受信機４が設置されている場所を示す場所情報とがそれぞれ関連付けて記憶されている。
【００３６】
ここで、ナースコール子機２がベッド上から離れたことを報知する場合に、報知部１４は、第一のパターンで呼び出しを報知する。また、ベッドから離れた患者がナースコール子機２を置き忘れたことを報知する場合に、報知部１４は、第二のパターンで呼び出しを報知する。また、患者が呼び出しを行ったことを報知する場合に、報知部１４は、第三のパターンで呼び出しを報知する。また、報知部１４は、異なる呼び出し音や音声を出力したり、異なる呼び出し表示を行ったり、異なる点灯または点滅をしたりして、第一のパターン、第二のパターンおよび第三のパターンを区別させて報知している。これにより、医療従事者などは、それぞれのパターンに区別された報知を確認するだけで、どのような理由により報知部１４が呼び出しを報知しているかを容易に把握することができる。
【００３７】
報知部１４が呼び出しを報知している際に、制御部１１は、医療従事者などにより報知の確認が行われたか否かを判定する。医療従事者などにより報知の確認が行われた場合に、制御部１１は、報知部１４を制御して報知を停止させる。ここで、報知の確認とは、例えば、医療従事者などが落ちているナースコール子機２をベッド上の所定の位置に戻したり、ベッドから離れている患者の居る場所へナースコール子機２を持って行って渡したり、報知を停止させる操作を行ったりすることを示す。また、報知部１４は、医療従事者などにより報知の確認が行われるまで継続して呼び出しを報知する。
【００３８】
次に、本実施形態によるナースコールシステムの動作を説明する。図３は、本実施形態によるナースコールシステムの動作を示すフローチャートである。まず、判定部１３は、Ｉ／Ｆ部１２がウォールユニット３から出力された患者情報および病床識別情報と子機識別情報および病床識別情報とを両方とも入力したか否かを判定する（ステップＳ１）。Ｉ／Ｆ部１２がウォールユニット３から出力された患者情報および病床識別情報と子機識別情報および病床識別情報とを両方とも入力したと判定部１３にて判断した場合には（ステップＳ１にてＹＥＳ）、ステップＳ１の処理を繰り返す。一方、Ｉ／Ｆ部１２がウォールユニット３から出力された患者情報および病床識別情報と子機識別情報および病床識別情報とを両方とも入力していないと判定部１３にて判断した場合には（ステップＳ１にてＮＯ）、判定部１３は、Ｉ／Ｆ部１２がウォールユニット３から出力された患者情報および病床識別情報のみを入力したか否かを判定する（ステップＳ２）。Ｉ／Ｆ部１２がウォールユニット３から出力された患者情報および病床識別情報のみを入力したと判定部１３にて判断した場合には（ステップＳ２にてＹＥＳ）、制御部１１は、報知部１４を動作させて、第一のパターンで呼び出しを報知し（ステップＳ３）、ステップＳ８の処理へ移行する。
【００３９】
一方、Ｉ／Ｆ部１２がウォールユニット３から出力された患者情報および病床識別情報のみを入力したものではないと判定部１３にて判断した場合には（ステップＳ２にてＮＯ）、判定部１３は、Ｉ／Ｆ部１２がウォールユニット３から出力された子機識別情報および病床識別情報のみを入力したか否かを判定する（ステップＳ４）。Ｉ／Ｆ部１２がウォールユニット３から出力された子機識別情報および病床識別情報のみを入力したと判定部１３にて判断した場合には（ステップＳ４にてＹＥＳ）、制御部１１は、報知部１４を動作させて、第二のパターンで呼び出しを報知し（ステップＳ５）、ステップＳ８の処理へ移行する。
【００４０】
一方、Ｉ／Ｆ部１２がウォールユニット３から出力された子機識別情報および病床識別情報のみを入力したものではないと判定部１３にて判断した場合には（ステップＳ４にてＮＯ）、制御部１１は、Ｉ／Ｆ部１２が受信機４から出力された呼出信号および受信機識別情報を入力したか否かを判定する（ステップＳ６）。Ｉ／Ｆ部１２が受信機４から出力された呼出信号および受信機識別情報を入力していないと制御部１１にて判断した場合には（ステップＳ６にてＮＯ）、ステップＳ１の処理に戻る。一方、Ｉ／Ｆ部１２が受信機４から出力された呼出信号および受信機識別情報を入力したと制御部１１にて判断した場合には（ステップＳ６にてＹＥＳ）、制御部１１は、報知部１４を動作させて、第三のパターンで呼び出しを報知し（ステップＳ７）、ステップＳ８の処理へ移行する。
【００４１】
ステップＳ８では、制御部１１は、医療従事者などにより報知の確認が行われたか否かを判定する。医療従事者などにより報知の確認が行われていないと制御部１１にて判断した場合には（ステップＳ８にてＮＯ）、ステップＳ８の処理を繰り返す。一方、医療従事者などにより報知の確認が行われたと制御部１１にて判断した場合には（ステップＳ８にてＹＥＳ）、制御部１１は、報知部１３を制御して報知を停止し（ステップＳ９）、ステップＳ１の処理に戻る。
【００４２】
以上、詳しく説明したように、本実施形態のナースコールシステムでは、ナースコール子機２を携行する各患者に患者用バンド１を装着させ、患者用バンド１の患者用ＩＣタグ１ａに記憶されている患者情報とナースコール子機２の子機用ＩＣタグ２ａに記憶されている子機識別情報とを読み取る非接触ＩＣリーダライタ３ａを備えたウォールユニット３を患者のベッド付近に設置する。判定部１３は、Ｉ／Ｆ部１２がウォールユニット３から出力された患者情報および病床識別情報のみを入力したか否かを判定するとともに、Ｉ／Ｆ部１２がウォールユニット３から出力された子機識別情報および病床識別情報のみを入力したか否かを判定する。Ｉ／Ｆ部１２がウォールユニット３から出力された患者情報および病床識別情報のみを入力したと判定部１３にて判断した場合に、報知部１４は、ナースコール子機２がベッド上から離れていることを第一のパターンで報知するようにしている。また、Ｉ／Ｆ部１２がウォールユニット３から出力された子機識別情報および病床識別情報のみを入力したと判定部１３にて判断した場合に、報知部１４は、ベッドから離れた患者がナースコール子機２を置き忘れたことを第二のパターンで報知するようにしている。これにより、ナースコール子機２がベッドから離れたこと、および、ベッドから離れた患者がナースコール子機２を置き忘れたことを明確に区別して報知することができる。従って、医療従事者などは、報知のパターンを判別するだけで容易に報知を区別することができる。また、ウォールユニット３の非接触ＩＣリーダライタ３ａが患者情報および子機識別情報の何れか一方のみを読み取った場合に報知が行われるので、Ｉ／Ｆ部１２がウォールユニット３からの患者情報と子機識別情報とを両方とも入力していないと判定部１３にて判断した場合に、報知部１４は報知を行わない。これにより、患者とともにナースコール子機２が病室から離れた場合に、誤報が行われなくなる。
【００４３】
なお、前述した実施形態では、報知部１４は、ナースコール親機１０に設けられているが、これに限定されない。例えば、報知部１４がウォールユニット３や図示しない廊下灯、医療従事者が携行している携帯通信端末などに設けられるようにしても良い。これにより、ナースコール親機１０以外の場所でも呼び出しが報知されるので、スタッフルームに居る医療従事者以外の人（例えば、報知の対象となっている患者の付添人など）がナースコール子機２がベッドから離れたこと、および、ベッドから離れた患者がナースコール子機２を置き忘れたことを把握することができる。
【００４４】
また、前述した実施形態では、判定部１３は、ナースコール親機１０に設けられているが、これに限定されない。例えば、判定部１３がウォールユニット３や図示しない廊下灯、図示しない制御機などに設けられるようにしても良い。
【００４５】
また、前述した実施形態では、報知部１４が第一のパターンにより呼び出しを報知している場合に、制御部１１は、医療従事者などにより報知の確認が行われたか否かを判定しているが、これに限定されない。例えば、報知部１４が第一のパターンにより呼び出しを報知している場合に、制御部１１は、ウォールユニット３から出力された患者情報および病床識別情報を入力しなくなったか否か（換言すると、ウォールユニット３が患者情報を読み取らなくなったか否か）という判定処理を判定部１３にて実行させるようにしても良い。この場合、ナースコール子機２が手元から離れている状態の患者がベッドから離れたと判断し、制御部１１は、報知部１４による報知を停止させずに、継続させるようにする。これにより、ナースコール子機２を携行していない患者がベッドから離れたことが報知されるので、非接触ＩＣリーダライタ３ａが患者情報と子機識別情報とを両方とも読み取っていなくても呼び出しが報知されないということがなくなり、患者の安全を確保することができる。
【００４６】
また、前述した実施形態では、ナースコール子機２は、自装置に備えられている子機用ＩＣタグ２ａとウォールユニット３に備えられている非接触ＩＣリーダライタ３ａとが無線通信可能となる距離に近づいた際に無線を介して非接触ＩＣリーダライタ３ａに接続されているが、これに限定されない。例えば、ナースコール子機２は、近距離の無線通信のみを可能とする方式を用いてウォールユニット３に内蔵されている図示しない受信部と接続されるようにしても良い。これにより、ナースコール子機２は、子機用ＩＣタグ２ａを備える必要がなくなる。
【００４７】
その他、ナースコールシステムの構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【符号の説明】
【００４８】
１    患者タグ
１ａ    患者用ＩＣタグ
２    ナースコール子機
２ａ    子機用ＩＣタグ
３    ウォールユニット
３ａ    非接触ＩＣリーダライタ
４    受信機
１０    ナースコール親機
１１    制御部
１２    インターフェース（Ｉ／Ｆ）部
１３    判定部
１４    報知部
Ａ、Ｂ    範囲
ｄ１、ｄ２    距離
【図１】
2010172555.tif 000003
【図２】
2010172555.tif 000004
【図３】
2010172555.tif 000005